(57)【要約】  【課題】部材の有効活用を図りながら、環境問題にも効果的に対応可能な家具用部材を提供する。  【解決手段】家具本体と前記家具本体に着脱可能に取り付けられる棚Ｂ２とを備えた家具において、その家具を移動する際に、前記棚Ｂ２を棚として機能させずに前記家具本体の通常の使用位置とは異なる所定位置に固定するための部材であって、前記家具を移動させ得る状態において、前記棚Ｂ２を棚として機能させずに前記所定位置に固定する棚Ｂ２固定手段としての機能を発揮する棚固定部２と、当該部材を、前記棚Ｂ２を前記所定位置に固定するために使用しない状態において、所定の物品を支持する物品支持手段としての機能を発揮し得る物品支持部３とを具備し、前記棚固定部２と前記物品支持部３とを共通の部材本体１に設けるようにした。【選択図】図６
2005185370.tif 000002
【特許請求の範囲】
【請求項１】
家具本体と前記家具本体に着脱可能に取り付けられる棚とを備えた家具において、その家具を移動する際に、前記棚を棚として機能させずに前記家具本体の通常の使用位置とは異なる所定位置に固定するための部材であって、
前記家具を移動させ得る状態において、前記棚を棚として機能させずに前記所定位置に固定する棚固定手段としての機能を発揮する棚固定部と、
当該部材を、前記棚を前記所定位置に固定するために使用しない状態において、所定の物品を支持する物品支持手段としての機能を発揮し得る物品支持部とを具備し、
前記棚固定部と前記物品支持部とを共通の部材本体に設けていることを特徴とする家具用部材。
【請求項２】
前記家具本体が、前記棚を支持するための支持部を備えるものであって、
前記支持部に支持される被支持部を具備し、
この被支持部を、前記部材本体に設けていることを特徴とする請求項１記載の家具用部材。
【請求項３】
前記棚固定部と前記物品支持部と前記被支持部と前記部材本体とを、合成樹脂により一体に形成していることを特徴とする請求項２記載の家具用部材。
【請求項４】
前記被支持部が、前記支持部に凹凸係合されるものであることを特徴とする請求項２または３記載の家具用部材。
【請求項５】
前記支持部が、複数のスリットより構成されるものであり、
前記被支持部が、前記スリットに係合すべく前記部材本体から所定方向に突出する突出要素を２以上備えるものであって、
それら突出要素の協働によって前記スリットに凹凸係合されるようにしていることを特徴とする請求項４記載の家具用部材。
【請求項６】
前記２以上の突出要素のうち、少なくとも１つの突出要素が、前記スリットに添設支持されるものであり、少なくとも１つの突出要素が、前記スリットに弾性係合されるものであることを特徴とする請求項５記載の家具用部材。
【請求項７】
前記物品支持部が、前記所定の物品を吊り下げて支持し得るフック要素を備えることを特徴とする請求項１乃至６いずれか記載の家具用部材。
【請求項８】
前記フック要素が、前記部材本体から延出する延出片と、この延出片の先端部から上向きに起立する起立片とを備え、
これら延出片と起立片とが前記フック要素を構成していることを特徴とする請求項７記載の家具用部材。
【請求項９】
前記物品支持部が、前記所定の物品の一部または全部を収容するとともに、収容した所定の物品の少なくとも一部を支持する収容支持要素を備えていることを特徴とする請求項１乃至７いずれか記載の家具用部材。
【請求項１０】
前記収容支持要素が、前記部材本体から延出する一対の延出片と、それら延出片の先端部を横架する横架片とを備えるものであって、
前記一対の延出片と前記横架片とが、前記収容支持要素を構成していることを特徴とする請求項９記載の家具用部材。
【請求項１１】
所定の物品を支持し得ることを明示する明示手段を備え、
この明示手段を、前記横架片の表面に設定していることを特徴とする請求項１０記載の家具用部材。
【請求項１２】
前記棚固定部が、前記棚の所定部に当接することにより、その棚の移動を禁止して固定するものであることを特徴とする請求項１乃至１１いずれか記載の家具用部材。
【請求項１３】
前記棚の所定部が、棚の裏面側に形成される溝状の溝部であり、
前記棚固定部が、前記部材本体から突出する突出片と、この突出片の先端部から略垂下する垂下片とを備えるものであって、
前記垂下片を、前記溝部に挿し込んで当接支持するようにしていることを特徴とする請求項１２記載の家具用部材。
【請求項１４】
前記垂下片と対向する側に、対向片を具備し、
前記対向片の内側に前記棚の端部を位置付けることにより、家具本体と棚との直接の接触を防止していることを特徴とする請求項１３記載の家具用部材。
【請求項１５】
前記家具が、複数の棚を備えるものであって、
前記棚固定部が、
前記所定位置に積み重ねた複数の棚のうち、最も上段にある棚を固定することにより、その最上段にある棚と家具本体との間に位置付けられている他の棚を同時に固定するようにしていることを特徴とする請求項１乃至１４いずれか記載の家具用部材。
【請求項１６】
前記家具本体が収容物を出し入れ可能な開口部を備えるとともに、前記家具が、その開口部を、開成状態または閉塞状態にする扉部を備えるものであって、
前記所定の物品が、前記扉部を前記閉塞状態にて開成不能に施錠するためのキーであることを特徴とする請求項１乃至１５いずれか記載の家具用部材。
【請求項１７】
請求項１乃至１６いずれか記載の家具用部材を具備することを特徴とする家具。
【発明の詳細な説明】
【技術分野】
【０００１】
本発明は、オフィスや会議室等で使用される棚を備えた家具に用いられる家具用部材に関するものである。
【背景技術】
【０００２】
従来から、収納庫などの家具は、庫内の空間を有効利用してファイルなどを多く収容するために、その収容庫内部に複数の棚を備えるようにしたものが知られている。
【０００３】
この種の家具は、例えば、工場から発送するときには、棚が庫内で不要に動いてしまうことを防止するために、複数の棚を庫内の下側にまとめて置き、それらを家具用部材で固定するように構成されている（例えば特許文献１参照）。
【特許文献１】特開平９−５６５１７号公報（第２頁、第１図）
【発明の開示】
【発明が解決しようとする課題】
【０００４】
ところが、従来の構成では、輸送を終えた後には、棚を押さえていた家具用部材は不要となり廃棄していたため、コスト的な無駄が生じる上に、環境上の問題が発生するといった課題を有している。
【０００５】
本発明は、このような課題に着目してなされたものであって、主たる目的は、部材の有効活用を図りながら、環境問題にも効果的に対応可能であるといった、高性能な家具用部材を提供することにある。
【課題を解決するための手段】
【０００６】
すなわち、本発明の家具用部材は、家具本体と前記家具本体に着脱可能に取り付けられる棚とを備えた家具において、その家具を移動する際に、前記棚を棚として機能させずに前記家具本体の通常の使用位置とは異なる所定位置に固定するための部材であって、前記家具を移動させ得る状態において、前記棚を棚として機能させずに前記所定位置に固定する棚固定手段としての機能を発揮する棚固定部と、当該部材を、前記棚を前記所定位置に固定するために使用しない状態において、所定の物品を支持する物品支持手段としての機能を発揮し得る物品支持部とを具備し、前記棚固定部と前記物品支持部とを共通の部材本体に設けていることを特徴とする。
【０００７】
このようなものであれば、棚が使用位置にある場合には、物品支持部が物品支持手段としての機能を発揮し、また、その棚が所定位置にある場合には、棚固定部が棚固定手段としての機能を発揮するとともに、それら物品支持部と棚固定部とを共通の部材本体に設けているので、従来では廃棄していた棚固定部を廃棄せずに済み、また、物品支持部で、例えば、キー等の所定の物品を支持し得るため、部材の有効利用を図ることができる。
【０００８】
すなわち、部材の有効活用を図りながら、環境問題にも効果的に対応可能な家具用部材を提供することができる。
【０００９】
なお、当該家具用部材を、家具本体に取り付けるための具体的態様としては、前記家具本体が、前記棚を支持するための支持部を備えるものであって、前記支持部に支持される被支持部を具備し、この被支持部を、前記部材本体に設けているものが挙げられる。
【００１０】
コストダウンを推進するためには、前記棚固定部と前記物品支持部と前記被支持部と前記部材本体とを、合成樹脂により一体に形成していることが好ましい。
【００１１】
被支持部の望ましい態様としては、前記被支持部が、前記支持部に凹凸係合されるものが挙げられる。
【００１２】
また、前記支持部が、複数のスリットより構成されるものであり、前記被支持部が、前記スリットに係合すべく前記部材本体から所定方向に突出する突出要素を２以上備えるものであって、それら突出要素の協働によって前記スリットに凹凸係合されるようにしたものであれば、簡単な構成で、凹凸係合を実現することができる。
【００１３】
また、前記２以上の突出要素のうち、少なくとも１つの突出要素が、前記スリットに添設支持されるものであり、少なくとも１つの突出要素が、前記スリットに弾性係合されるものであれば、突出要素と係合部との着脱を容易に行うことができる。
【００１４】
ところで、前記物品支持部が、前記所定の物品を吊り下げて支持し得るフック要素を備えるものであれば、簡単な構成で、物品を吊り下げられることができる。
【００１５】
フック要素の具体的な態様としては、前記フック要素が、前記部材本体から延出する延出片と、この延出片の先端部から上向きに起立する起立片とを備え、これら延出片と起立片とが前記フック要素を構成しているものが挙げられる。
【００１６】
また、前記物品支持部が、前記所定の物品の一部または全部を収容するとともに、収容した所定の物品の少なくとも一部を支持する収容支持要素を備えているものであれば、簡単な構成で、所定の物品を支持することができる。
【００１７】
収容支持要素の具体的な態様としては、前記収容支持要素が、前記部材本体から延出する一対の延出片と、それら延出片の先端部を横架する横架片とを備えるものであって、前記一対の延出片と前記横架片とが、前記収容支持要素を構成しているものが挙げられる。
【００１８】
なお、所定の物品を支持し得ることを明示する明示手段を備え、この明示手段を、前記横架片の表面に設定すれば、使用者が収容することを効果的に刺激して収容の誘引を図れるため、例えば、キーなどの紛失を防止することができる。
【００１９】
また、使用者に無用の負担をかけることなく、棚を簡単に固定するためには、前記棚固定部が、前記棚の所定部に当接することにより、その棚の移動を禁止して固定するものであることが望ましい。
【００２０】
棚固定部の具体的態様としては、前記棚の所定部が、棚の裏面側に形成される溝状の溝部であり、前記棚固定部が、前記部材本体から突出する突出片と、この突出片の先端部から略垂下する垂下片とを備えるものであって、前記垂下片を、前記溝部に挿し込んで当接支持するようにしているものが挙げられる。
【００２１】
前記垂下片と対向する側に、対向片を具備し、前記対向片の内側に前記棚の端部を位置付けることにより、家具本体と棚との直接の接触を防止しているものであれば、棚の端部と家具本体とが対向片により直接接触しないため、家具本体に傷が発生することを防止できる。
【００２２】
前記家具が、複数の棚を備えるものであって、前記棚固定部が、前記所定位置に積み重ねた複数の棚のうち、最も上段にある棚を固定することにより、その最上段にある棚と家具本体との間に位置付けられている他の棚を同時に固定するようにしているものであれば、コストダウンを図るために当該家具用部材を小さく構成しても効率よく棚を固定することができる。
【００２３】
前記所定の物品の望ましい態様としては、前記家具本体が収容物を出し入れ可能な開口部を備えるとともに、前記家具が、その開口部を、開成状態または閉塞状態にする扉部を備えるものであって、前記所定の物品が、前記扉部を前記閉塞状態にて開成不能に施錠するためのキーが挙げられる。
【００２４】
上述するような家具用部材を具備する家具であれば、家具として部材の有効活用を図りながら、環境問題にも効果的に対応することができる。
【発明の効果】
【００２５】
以上説明したように本発明の家具用部材によれば、棚が使用位置にある場合には、物品支持部が物品支持手段としての機能を発揮し、また、その棚が所定位置にある場合には、棚固定部が棚固定手段としての機能を発揮するとともに、それら物品支持部と棚固定部とを共通の部材本体に設けているので、従来では廃棄していた棚固定部を廃棄せずに済み、また、物品支持部で、例えば、キー等の所定の物品を支持し得るため、部材の有効利用を図ることができる。
【００２６】
すなわち、部材の有効活用を図りながら、環境問題にも効果的に対応可能であるといった高性能な家具用部材を提供することができる。
【発明を実施するための最良の形態】
【００２７】
以下、本発明の一実施形態を、図面を参照して説明する。
【００２８】
本発明に係る家具用部材Ａは、図１に示すように、オフィスや会議室等において使用される家具たる収納庫Ｂに適用されるものである。
【００２９】
まず、収納庫Ｂについて説明すると、この収納庫Ｂは、家具本体たる収納庫本体Ｂ１と、2枚の棚Ｂ２と、左右一対の扉部Ｂ３とを具備してなる。
【００３０】
以下、各部を説明する。なお、本実施形態において、収納庫Ｂにおける扉部Ｂ３を備える側を前側、後述する背板部Ｂ１４を備える側を後側と定義して説明を進めるものとする。
【００３１】
収納庫本体Ｂ１は、図１に示すように、主として板金素材を塑性変形加工により形成した底板部Ｂ１１、一対の側板部Ｂ１２、天板部Ｂ１３、および背板部Ｂ１４を具備し、これら各部を溶接加工等によって適宜組み立てることにより、これら各部で囲まれる空間を収容空間ＢＳとして有するとともに前面側に、ファイルなどの収容物（図示せず）を出し入れ可能な開口部ＢＫを有するようにしたものである。
【００３２】
そして、側板部Ｂ１２には、後述する棚Ｂ２を取り付けるための支持部Ｂ１２Ｓを設けている。この支持部Ｂ１２Ｓは、横長の長孔状のスリットである。そして、本実施形態では、複数の支持部Ｂ１２Ｓを、側板部Ｂ１２の前側縁部と後側縁部とにおいて、それぞれの縁部に沿って一定間隔で並べて配置している。これにより、棚Ｂ２を、複数の支持部Ｂ１２Ｓの中から選択した支持部Ｂ１２Ｓに取り付けた取付部材（図示せず）を介して、その支持部Ｂ１２Ｓに支持させるようにしている。なお、取付部材の取付位置を変更すれば、棚Ｂ２の取付位置を変更することができる。
【００３３】
棚Ｂ２は、物品を載置するための略平坦な物品載置面Ｂ２Ｈを表面側に有した棚本体Ｂ２１と、この棚本体Ｂ２１の裏面側における前縁部および後縁部おいて、該棚本体Ｂ２１を補強する棚補強体Ｂ２２とを備えてなる。
【００３４】
より具体的に、図２に示すように、棚本体Ｂ２１は、板金素材を塑性変形加工により形成したものであって、前端縁部Ｂ２１１、後端縁部（図示せず）および両側端縁部Ｂ２１２が、それぞれ断面視略コ字状となるようにしている。
【００３５】
特に、この棚本体Ｂ２１の両側端縁部Ｂ２１２について説明をすると、この棚本体Ｂ２１の両側端縁部Ｂ２１２は、物品載置面Ｂ２Ｈの側端縁から略直角に折り曲げた小口片Ｂ２１２ａと、この小口片Ｂ２１２ａから内側に向けて折り曲げた水平片Ｂ２１２ｂと、この水平片Ｂ２１２ｂの先端を前記物品載置面Ｂ２Ｈに向けて起立させた先端片Ｂ２１２ｃとを備えてなる。そして、この棚本体Ｂ２１の両側端縁部Ｂ２１２の前端側および後端側には、溝状に切り欠いた溝部Ｂ２Ｍを２つずつ設けている。なお、本実施形態では、側端縁部Ｂ２１２の前端側における２つの溝部Ｂ２Ｍについては、前方の溝部Ｂ２Ｍを、棚Ｂ２を支持するために使用するようにし、側端縁部Ｂ２１２の後端側における２つの溝部Ｂ２Ｍについては、後方の溝部Ｂ２Ｍを、棚Ｂ２を支持するために使用するようにしているが、実施態様に応じて適宜変更可能である。
【００３６】
棚補強体Ｂ２２は、板金素材を塑性変形加工により形成したものであって、断面視略波型状を有してなる。そして、前記棚本体Ｂ２１にこの棚補強体Ｂ２２を組付けた際に、すなわち、棚本体Ｂ２１の両側端縁部Ｂ２１２間に該棚補強体Ｂ２２を収めた際に、前記棚本体Ｂ２１の水平片Ｂ２１２ｂよりもこの棚補強体Ｂ２２が突出しないように、該棚補強体Ｂ２２の厚み寸法を設定している。
【００３７】
扉部Ｂ３は、図１に示すように、引き違い式のものであって、前記収納庫本体Ｂ１の開口部ＢＫを開成状態にする開成位置ＰＫ（図１参照）と、前記開口部ＢＫを閉塞状態にする閉塞位置（図示せず）とに位置付けられ得る。そして、その閉塞位置において、該扉部Ｂ３が開成することを禁止する施錠部Ｂ３Ｋを具備している。この施錠部Ｂ３Ｋは、収納庫Ｂなどに用いられるシリンダ式の一般的なものを用いているので説明を省略する。なお、施錠部Ｂ３Ｋが、シリンダ式のものに限られないことは言うまでも無い。
【００３８】
次に、家具用部材Ａについて説明する。
【００３９】
この家具用部材Ａは、図２に斜視図、図３に正面図、図４に側面図、図５に平面図として示すように、部材本体１と、棚固定部２と、物品支持部３と、被支持部４とを具備し、これら各部を合成樹脂により一体に形成してなる。
【００４０】
部材本体１は、正面視縦長の略矩形状のものであって、その上端縁部１１および両側端縁部１２を厚肉に形成してなる。
【００４１】
棚固定部２は、前記部材本体１の下端部から略直角に起立させた平面視略矩形状の突出片２１と、この突出片２１の先端部から略垂下する垂下片２２とを備えるものである。なお、本実施形態では、前記部材本体１の下端部からさらに下方に向けて延出し、且つ、前記垂下片２２と対向する側に、一対の対向片５を備えるようにしている。なお、この対向片５も、部材本体１などと一体に形成している。
【００４２】
物品支持部３は、前記部材本体１の略中央の位置から略直角に起立させた延出片３１１およびこの延出片３１１の先端部から上向きに起立する起立片３１２からなる一対のフック要素３１と、一対のフック要素３１における起立片３１２を横架する横架片３２とを備えてなる。そして、この一対の起立片３１２と横架片３２とが、それらで囲まれる空間にキーの少なくとも一部を収容して、そのキーを収容支持し得る収容支持要素３Ａとしての機能を発揮し、また、フック要素３１または横架片３２が、キーを吊り下げて支持する機能を発揮する。
【００４３】
被支持部４は、前記部材本体１における前記物品支持部３を備える側とは反対側に、該部材本体１から突出する２つの突出要素４１を備えるものである。
【００４４】
これら２つの突出要素４１は、前記支持部Ｂ１２Ｓに凹凸係合され得るべく、互いに略平行をなすように配置されている。
【００４５】
下側の突出要素４１ａは、正面視略矩形状のものであって、その幅寸法および高さ寸法を、前記支持部Ｂ１２Ｓの幅寸法および高さ寸法と略同一にしている。これにより、この下側の突出要素４１ａが、前記支持部Ｂ１２Ｓに添設支持されるようにしている。
【００４６】
上側の突出要素４１ｂは、図４等に示すように、側面視略先細り形状を有する一対の端要素４１ｂ１と、この端要素４１ｂ１の先端部を連結する連結要素４１ｂ２と、前記連結要素４１ｂ２の略中央部から前記部材本体１の物品支持部３を備える側に向けて突出する平面視略矩形状の中央要素４１ｂ３とを有してなる。
【００４７】
なお、この中央要素４１ｂ３には、側面視した際に、前記端要素４１ｂ１の上端縁よりも上方に膨出するようにした側面視略三角形状の膨出体４１３ｂｂを２つ備えるようにしている。また、この中央要素４１ｂ３は、前記一対の端要素４１ｂ１から離間させて配置している。そして、この中央要素４１ｂ３を、前記部材本体１に設けた貫通孔１Ｘに挿通させることにより、その中央要素４１ｂ３の先端部が、前記部材本体１における前記物品支持部３を備える側に位置付けられるようにしている。このように構成することにより、中央要素４１ｂ３が、前記端要素４１ｂ１と独立する動作をして、弾性部材としての機能を発揮し得るようにしている。
【００４８】
そして、連結要素４１ｂ２の表面には、図２、図３に示すように、「キー」の文字を有するようにしている。この文字「キー」が、キーを支持し得ることを明示する明示手段６としての機能を発揮する。また、「キー」の文字は、成形時に一体に形成するようにしているが、成形後に、刻印やホットスタンプ等によって形成するようにしてもよい。また、「キー」の文字を突出させるか陥没させるかは適宜選択できるが、その文字を成形時に一体に形成する場合には、成形の都合上突出させることが望ましい。
【００４９】
また、本実施形態では、前記部材本体１における前記物品支持部３を備える側に、正面視縦長の補強リブ７を備えるようにしている。この補強リブ７は、前記フック要素３１の一対の延出片３１１に挟まれる位置に、その上端部を挟まれるように設けているが、配置位置は、適宜変更可能である。
【００５０】
以上のように構成される家具用部材Ａについて、その使用方法を、以下説明する。
【００５１】
（１）輸送時などにおいて家具用部材Ａにより棚Ｂ２を固定する方法。
【００５２】
まず、図２、図６に示すように、２枚の棚Ｂ２を裏向けて重ねながら底板部Ｂ１１に載置する。
【００５３】
そして、上側の棚Ｂ２の溝部Ｂ２Ｍに、家具用部材Ａの突出片２１を挿入するとともに、対向片５を、棚Ｂ２の端部と収納庫Ｂの側板部Ｂ１２との間に挿入する。
【００５４】
次に、家具用部材Ａにおける下側の突出要素４１ａを、対応する支持部Ｂ１２Ｓに係合させつつ、上側の突出要素４１ｂの先端側を、対応する支持部Ｂ１２Ｓに当接させる。そして、上側の突出要素４１ｂを、収納庫Ｂの側板部Ｂ１２に近づく方向に力を加えれば、その上側の突出要素４１ｂの中央要素４１ｂ３が弾性変形して、該上側の突出要素４１ｂが支持部Ｂ１２Ｓに係合支持されることとなる。なお、この取付位置が、通常の使用位置とは異なる所定位置に相当する。
【００５５】
このように、収納庫Ｂの側板部Ｂ１２に取り付けられた家具用部材Ａは、上側の棚Ｂ２を固定することは無論のこと、その上側の棚Ｂ２と、収納庫Ｂの底板部Ｂ１１との間に挟まれた下側の棚Ｂ２をも、同時に固定することができる。
【００５６】
なお、本実施形態では、この家具用部材Ａを、裏向けた棚Ｂ２の左右の前側端部および左右の後側端部に、それぞれ１個ずつ、すなわち合計４個取り付けて棚Ｂ２を固定するようにしているが、３個の家具用部材Ａにより棚Ｂ２を固定するようにしてもよい。
【００５７】
（２）棚Ｂ２を固定している家具用部材Ａを取り外す方法。
【００５８】
まず、（１）のような状態にある家具用部材Ａにおいて、前記部材本体１における前記物品支持部３を備える側、すなわち庫内に露出している中央要素４１ｂ３の先端部に対して、下方に押圧する力を加える。すると、その中央要素４１ｂ３が弾性変形し、上側の突出要素４１ｂと支持部Ｂ１２Ｓとの係合が解除される。そして、下側の突出要素４１ａを支持部Ｂ１２Ｓから取り外し、また、棚Ｂ２の端部と収納庫Ｂの側板部Ｂ１２との間に挿入している家具用部材Ａの対向片５を取り外すとともに、上側の棚Ｂ２の溝部Ｂ２Ｍに挿入している家具用部材Ａの突出片２１を、その溝部Ｂ２Ｍから取り外せば、該家具用部材Ａを、収納庫本体Ｂ１および棚Ｂ２から完全に取り外すことができる。
【００５９】
（３）棚Ｂ２を棚として機能させつつ、当該家具用部材Ａを、棚Ｂ２を前記所定位置に固定するために用いないようにした際の家具用部材Ａの使用方法。
【００６０】
図１に示すように、棚Ｂ２と干渉する位置を避けて、家具用部材Ａの２つの突出要素４１からなる被支持部４を、家具本体の側板部Ｂ１２の支持部Ｂ１２Ｓに取り付ける。なお、この取付位置が、通常の使用位置に相当する。また、この被支持部４を支持部Ｂ１２Ｓに取り付ける方法は、（１）で説明した方法と同様であるので省略する。
【００６１】
そして、キーを支持する場合には、一対の起立片３１２と横架片３２とで囲まれる空間にキーの先端を挿入し、キーの基端部を一対の起立片３１２に支持させればよい。
【００６２】
このように、本実施形態に係る家具用部材Ａは、棚Ｂ２が使用位置にある場合には、物品支持部３が物品支持手段としての機能を発揮し、また、その棚Ｂ２が所定位置にある場合には、棚固定部２が棚Ｂ２固定手段としての機能を発揮するとともに、それら物品支持部３と棚固定部２とを共通の部材本体１に設けているので、従来では廃棄していた棚固定部２を廃棄せずに済み、また、物品支持部３で、例えば、キー等の所定の物品を支持し得るため、部材の有効利用を図ることができる。
【００６３】
すなわち、部材の有効活用を図りながら、環境問題にも効果的に対応可能な家具用部材Ａを実現することができる。
【００６４】
前記棚固定部２と前記物品支持部３と前記被支持部４と被支持部４と前記部材本体１とを、合成樹脂により一体に形成しているため、コストダウンを効果的に推進することができる。
【００６５】
前記支持部Ｂ１２Ｓが、複数のスリットより構成されるものであり、前記被支持部４が、前記スリットに係合すべく前記部材本体１から所定方向に突出する突出要素４１を２以上備えるものであって、それら突出要素４１の協働によって前記スリットに凹凸係合されるようにしているので、簡単な構成で、支持部Ｂ１２Ｓと被支持部４とが凹凸係合することを実現することができる。
【００６６】
そして、下側の突出要素４１ａが、前記支持部Ｂ１２Ｓに添設支持されるものであり、上側の突出要素４１ｂが、前記支持部Ｂ１２Ｓに弾性係合されるようにしているので、突出要素４１と係合部との着脱を容易に行うことができる。
【００６７】
また、前記物品支持部３が、前記所定の物品を吊り下げて支持し得るフック要素３１を備えているので、簡単な構成で、キーを吊り下げられることができる。
【００６８】
また、前記物品支持部３が、キーの一部または全部を収容するとともに、収容した所定の物品の少なくとも一部を支持する収容支持要素３Ａを備えるようにしているので、簡単な構成で、キーを支持することができる。
【００６９】
また、キーを支持し得ることを明示する明示手段６を備え、この明示手段６を、前記横架片３２の表面に設定しているので、使用者が収容することを刺激して収容の誘引を図り、キーなどの紛失を効果的に防止することができる。
【００７０】
前記棚固定部２が、前記棚Ｂ２の溝部Ｂ２Ｍおよびその近傍に当接することにより、その棚Ｂ２の移動を禁止して固定するようにしているので、使用者に無用の負担をかけることなく、棚Ｂ２を簡単に固定することができる。
【００７１】
特に、前記棚固定部２が、前記部材本体１から突出する突出片２１と、この突出片２１の先端部から略垂下する垂下片２２とを備えるものであって、前記垂下片２２を、前記溝部Ｂ２Ｍに挿し込んで当接支持するようにしているので、その効果は顕著になる。
【００７２】
前記垂下片２２と対向する側に、対向片５を具備し、前記対向片５の内側に前記棚Ｂ２の端部を位置付けることにより、収納庫Ｂと棚Ｂ２との直接の接触を防止しているので、棚Ｂ２の端部と収納庫Ｂとが対向片５により直接接触しないため、収納庫Ｂに傷が発生することを防止できる。
【００７３】
また、前記棚固定部２が、前記所定位置に積み重ねた複数の棚Ｂ２のうち、最も上段にある棚Ｂ２を固定することにより、その最上段にある棚Ｂ２と収納庫Ｂとの間に位置付けられている他の棚Ｂ２を同時に固定するようにしているので、当該家具用部材Ａを小さく構成してコストダウンを図れると共に、効率よく棚Ｂ２を固定することができる。
【００７４】
なお、本発明は、以上に詳述した実施形態に限られるものではない。
【００７５】
例えば、家具用部材Ａを適用する家具を収納庫Ｂとしているが、複数の棚Ｂ２を備える家具であれば、これに限られるものでない。
【００７６】
また、収容庫の扉部Ｂ３を、引き違い式のものとしているが、両開き式のものであってもよい。また、扉の数も本実施形態に限られない。
【００７７】
また、家具用部材Ａを、棚Ｂ２を通常状態で使用する場合には、棚Ｂ２を取り付けるための支持部Ｂ１２Ｓに取り付けるようにしているが、これに限られるものではなく、例えば、棚Ｂ２に取り付けるようにしたり、あるいは、扉部Ｂ３に取り付けたりするようにしてもよい。
【００７８】
また、本実施形態では、「キー」といった文字によって、明示手段６としての機能を発揮するようにしているが、文字に限らず、図形やマークなどであってもよい。また、色彩によって所定部分が目立つようにしてもよい。
【００７９】
また、家具用部材Ａが、積み重ねた複数の棚Ｂ２のうち一番上の棚Ｂ２のみに直接接触するように構成しているが、下側の棚Ｂ２にも直接接触するように構成してもよい。
【００８０】
その他、各部の具体的構成についても上記実施形態に限られるものではなく、本発明の趣旨を逸脱しない範囲で種々変形が可能である。
【図面の簡単な説明】
【００８１】
【図１】本発明の一実施形態における家具を示す全体斜視図。
【図２】同実施形態における家具用部材の取付態様を示す斜視図。
【図３】同実施形態における家具用部材を示す正面図。
【図４】同実施形態における家具用部材を示す側面図。
【図５】同実施形態における家具用部材を示す平面図。
【図６】同実施形態における家具用部材の取付態様を示す構造断面図。
【符号の説明】
【００８２】
Ａ・・・・・・家具用部材
Ｂ・・・・・・家具（収納庫）
Ｂ１・・・・・家具本体（収納庫本体）
Ｂ２・・・・・棚
Ｂ３・・・・・扉部
ＢＫ・・・・・開口部
Ｂ２Ｍ・・・・棚Ｂ２の所定部（溝部）
Ｂ１２Ｓ・・・スリット（支持部）
ＰＫ・・・・・開成状態（開成位置）
１・・・・・・部材本体
２・・・・・・棚固定手段（棚固定部）
３・・・・・・物品支持手段（物品支持部）
４・・・・・・被支持部
５・・・・・・対向片
６・・・・・・明示手段
２１・・・・・突出片
２２・・・・・垂下片
３１・・・・・フック要素
３２・・・・・横架片
３Ａ・・・・・収容支持要素
４１・・・・・突出要素
４１ａ・・・・下側の突出要素
４１ｂ・・・・上側の突出要素
３１１・・・・延出片
３１２・・・・起立片
【図１】
2005185370.tif 000003
【図２】
2005185370.tif 000004
【図３】
2005185370.tif 000005
【図４】
2005185370.tif 000006
【図５】
2005185370.tif 000007
【図６】
2005185370.tif 000008